(57)【要約】【課題】ＰＣ等のコンピュータ装置を用いてプレゼンテーションを行う場合に当該コンピュータ装置に新たなアプリケーションをインストールことなく、そのプレゼンテーションの際に発表者がコンピュータ装置に対して行ったプレゼンテーションに関する操作指示内容等を容易に取得することができるようにする。【解決手段】プレゼンテーション用アプリケーションが動作するＰＣに、イベントデータを取得するアプリケーションを格納するアプリケーション領域４７０ａと、データを記録するデータ領域４７０ｂとを有するメモリユニット１５０を装着する。メモリユニット１５０が装着されたＰＣは、アプリケーション領域４７０ａに格納されたアプリケーションを実行し、これによりプレゼンテーション時にプレゼンテーション用アプリケーションに対して行った表示スライドの切り替え指示等のイベントデータが取得され、データ領域４７０ｂに記録される。【選択図】      図４
2004227514.tif 000002
【特許請求の範囲】
【請求項１】
ユーザの操作指示にしたがって画像を表示させるプレゼンテーション用アプリケーションが動作するコンピュータ装置と着脱自在に装着され、装着された状態において当該コンピュータ装置との間でデータの授受を行うことができるユニットであって、
前記プレゼンテーション用アプリケーションに対してユーザが行った操作指示内容とその発生時刻に関するイベントデータを記録するデータ記憶領域と、前記イベントデータを取得して前記データ記憶領域に記憶させるイベントデータ取得処理を前記コンピュータ装置に実行させるプログラムを記憶するプログラム記憶領域とを有する記憶手段
を備えることを特徴とするメモリユニット。
【請求項２】
ユーザの操作指示にしたがって画像を表示させるプレゼンテーション用アプリケーションが動作するコンピュータ装置から通信手段を介してアクセスがあった場合に前記コンピュータ装置に開放される記憶領域であって、前記プレゼンテーション用アプリケーションに対してユーザが行った操作指示内容とその発生時刻に関する情報を含むイベントデータを記録するデータ記憶領域と、前記イベントデータを取得して前記データ記憶領域に記憶させるイベントデータ取得処理を前記コンピュータ装置に実行させるプログラムを記憶するプログラム記憶領域とを有する記憶手段と、
前記プレゼンテーション用アプリケーションを利用したプレゼンテーションの様子を撮影または録音したプレゼンテーション再現データを取得する取得手段と、
前記記憶手段のデータ記憶領域に記憶されている前記イベントデータに含まれる操作指示内容と、前記取得手段によって取得されたプレゼンテーション再現データとを、前記イベントデータに含まれる発生時刻に基づいて時系列に対応付けてプレゼンテーションデータを作成するデータ生成手段と
を具備することを特徴とするプレゼンテーションデータ作成装置。
【請求項３】
ユーザの操作指示にしたがって画像を表示させるプレゼンテーション用アプリケーションが動作するコンピュータ装置と着脱自在に装着され、装着された状態において当該コンピュータ装置との間でデータの授受を行うことができるメモリユニットと、プレゼンテーションデータ作成装置とを備えたプレゼンテーションデータ作成システムであって、
前記メモリユニットは、前記プレゼンテーション用アプリケーションに対してユーザが行った操作指示内容に関するイベントデータを記録するデータ記憶領域と、前記イベントデータを取得して前記データ記憶領域に記憶させるイベントデータ取得処理を前記コンピュータ装置に実行させるプログラムを記憶するプログラム記憶領域とを有する記憶手段を備え、
前記プレゼンテーションデータ作成装置は、前記プレゼンテーション用アプリケーションを利用したプレゼンテーションの様子を撮影または録音したプレゼンテーション再現データを取得する取得手段と、
前記記憶手段のデータ記憶領域に記憶されている前記イベントデータに含まれる操作指示内容と、前記取得手段によって取得されたプレゼンテーション再現データとを、前記イベントデータに含まれる発生時刻に基づいて時系列に対応付けてプレゼンテーションデータを作成するデータ生成手段とを備える
ことを特徴とするプレゼンテーションデータ作成システム。
【請求項４】
ユーザの操作指示にしたがって画像を表示させるプレゼンテーション用アプリケーションが動作するコンピュータ装置と、前記コンピュータ装置と着脱自在に装着され、装着された状態において当該コンピュータ装置との間でデータの授受を行うことができるユニットであって、前記プレゼンテーション用アプリケーションに対してユーザが行った操作指示内容に関するイベントデータを記録するデータ記憶領域と、前記イベントデータを取得して前記データ記憶領域に記憶させるイベントデータ取得処理を前記コンピュータ装置に実行させるプログラムを記憶するプログラム記憶領域とを有する記憶手段を備えるメモリユニットと、プレゼンテーションデータ作成装置とを用い、プレゼンテーションデータを作成する方法であって、
前記コンピュータ装置に前記メモリユニットを装着する装着ステップと、
前記コンピュータ装置により前記メモリユニットに記憶されたプログラムにしたがって前記イベントデータ取得処理を行わせるとともに、当該コンピュータ装置において前記プレゼンテーション用アプリケーションを動作させながらユーザが当該プレゼンテーション用アプリケーションに対して操作指示を行ってプレゼンテーションを行うプレゼンテーションステップと、
前記プレゼンテーションの様子を撮影または録音する撮影／録音ステップと、
前記プレゼンテーション終了後、前記プレゼンテーションデータ作成装置に、前記プレゼンテーションの様子を撮影または録音したプレゼンテーション再現データと、前記メモリユニットのデータ記憶領域に記憶されている前記イベントデータに含まれる操作指示内容とを、前記イベントデータに含まれる発生時刻に基づいて時系列に対応付けてプレゼンテーションデータを作成させるデータ作成ステップと
を具備することを特徴とするプレゼンテーションデータ作成方法。
【請求項５】
ユーザの操作指示にしたがって画像を表示させるプレゼンテーション用アプリケーションが動作するコンピュータ装置と、ユーザの操作指示にしたがって画像を表示させるプレゼンテーション用アプリケーションが動作するコンピュータ装置から通信手段を介してアクセスがあった場合に前記コンピュータ装置に各々開放される記憶領域であって、前記プレゼンテーション用アプリケーションに対してユーザが行った操作指示内容とその発生時刻に関する情報を含むイベントデータを記録するデータ記憶領域と、前記イベントデータを取得して前記データ記憶領域に記憶させるイベントデータ取得処理を前記コンピュータ装置に実行させるプログラムを記憶するプログラム記憶領域とを有する記憶手段を備えるプレゼンテーションデータ作成装置とを用い、プレゼンテーションデータを作成する方法であって、
前記コンピュータ装置に前記プレゼンテーションデータ領域に前記通信手段を介してアクセスさせるアクセスステップと、
前記コンピュータ装置により前記プレゼンテーションデータ作成装置に記憶されたプログラムにしたがって前記イベントデータ取得処理を行わせるとともに、当該コンピュータ装置において前記プレゼンテーション用アプリケーションを動作させながらユーザが当該プレゼンテーション用アプリケーションに対して操作指示を行ってプレゼンテーションを行うプレゼンテーションステップと、
前記プレゼンテーションの様子を撮影または録音する撮影／録音ステップと、
前記プレゼンテーション終了後、前記プレゼンテーションデータ作成装置に、前記プレゼンテーションの様子を撮影または録音したプレゼンテーション再現データと、前記データ記憶領域に記憶されている前記イベントデータに含まれる操作指示内容とを、前記イベントデータに含まれる発生時刻に基づいて時系列に対応付けてプレゼンテーションデータを作成させるデータ作成ステップと
を具備することを特徴とするプレゼンテーションデータ作成方法。
【請求項６】
ユーザの操作指示にしたがって画像を表示させるプレゼンテーション用アプリケーションが動作するコンピュータ装置と、前記コンピュータ装置と着脱自在に装着され、装着された状態において当該コンピュータ装置との間でデータの授受を行うことができるユニットであって、前記プレゼンテーション用アプリケーションに対してユーザが行った操作指示内容に関するイベントデータを記録するデータ記憶領域と、前記イベントデータを取得して前記データ記憶領域に記憶させるイベントデータ取得処理を前記コンピュータ装置に実行させるプログラムを記憶するプログラム記憶領域とを有する記憶手段を備えるメモリユニットと、プレゼンテーションデータ作成装置とを用いてプレゼンテーションを行う方法であって、
前記コンピュータ装置に前記メモリユニットを装着する装着ステップと、
前記コンピュータ装置により前記メモリユニットに記憶されたプログラムにしたがって前記イベントデータ取得処理を行わせるとともに、当該コンピュータ装置において前記プレゼンテーション用アプリケーションを動作させながらユーザが当該プレゼンテーション用アプリケーションに対して操作指示を行ってプレゼンテーションを行うプレゼンテーションステップと、
前記プレゼンテーションの様子を撮影または録音する撮影／録音ステップと、
前記プレゼンテーション終了後、前記プレゼンテーションデータ作成装置に、前記プレゼンテーションの様子を撮影または録音したプレゼンテーション再現データと、前記メモリユニットのデータ記憶領域に記憶されている前記イベントデータに含まれる操作指示内容とを、前記イベントデータに含まれる発生時刻に基づいて時系列に対応付けてプレゼンテーションデータを作成させるデータ作成ステップと
を具備することを特徴とするプレゼンテーション方法。
【請求項７】
ユーザの操作指示にしたがって画像を表示させるプレゼンテーション用アプリケーションが動作するコンピュータ装置と、ユーザの操作指示にしたがって画像を表示させるプレゼンテーション用アプリケーションが動作するコンピュータ装置から通信手段を介してアクセスがあった場合に前記コンピュータ装置に各々開放される記憶領域であって、前記プレゼンテーション用アプリケーションに対してユーザが行った操作指示内容とその発生時刻に関する情報を含むイベントデータを記録するデータ記憶領域と、前記イベントデータを取得して前記データ記憶領域に記憶させるイベントデータ取得処理を前記コンピュータ装置に実行させるプログラムを記憶するプログラム記憶領域とを有する記憶手段を備えるプレゼンテーションデータ作成装置とを用い、プレゼンテーションを行う方法であって、
前記コンピュータ装置に前記プレゼンテーションデータ領域に前記通信手段を介してアクセスさせるアクセスステップと、
前記コンピュータ装置により前記プレゼンテーションデータ作成装置に記憶されたプログラムにしたがって前記イベントデータ取得処理を行わせるとともに、当該コンピュータ装置において前記プレゼンテーション用アプリケーションを動作させながらユーザが当該プレゼンテーション用アプリケーションに対して操作指示を行ってプレゼンテーションを行うプレゼンテーションステップと、
前記プレゼンテーションの様子を撮影または録音する撮影／録音ステップと、
前記プレゼンテーション終了後、前記プレゼンテーションデータ作成装置に、前記プレゼンテーションの様子を撮影または録音したプレゼンテーション再現データと、前記データ記憶領域に記憶されている前記イベントデータに含まれる操作指示内容とを、前記イベントデータに含まれる発生時刻に基づいて時系列に対応付けてプレゼンテーションデータを作成させるデータ作成ステップと
を具備することを特徴とするプレゼンテーション方法。
【発明の詳細な説明】
【０００１】
【発明の属する技術分野】
この発明は、ユーザの操作指示にしたがってスライド画像等を表示させるプレゼンテーション用アプリケーションを用いたプレゼンテーションに関するプレゼンテーションデータを作成するためのメモリユニット、プレゼンテーションデータ作成装置、プレゼンテーションデータ作成システム、プレゼンテーションデータ作成方法およびプレゼンテーション方法に関する。
【０００２】
【従来の技術】
従来より、会議等でプレゼンテーションを行う際に、ＰＣ（Ｐｅｒｓｏｎａｌ  Ｃｏｍｐｕｔｅｒ）およびプロジェクター装置、またはＯＨＰ（オーバヘッドプロジェクタ）装置等を用い、複数の画像を順次切り替えてスクリーン等に表示させながら説明等を行う手法がとられることがある。
【０００３】
また、上記のような手法で行った会議等でプレゼンテーションの様子をビデオカメラで撮影することもある。そして、このビデオカメラで撮影した録画データを再生することで、会議等でプレゼンテーションの再現を行うのである。
【０００４】
しかしながら、単にスクリーン等に表示される画像を含めてプレゼンテーションの様子をビデオカメラで録画し、それを再生するだけでは、スクリーンに表示される画像が鮮明に再現できない場合が多い。
【０００５】
また、プレゼンテーションは、グラフ、表、文書などの資料を表示する画像を表示させながら、表示されている資料について説明等を行うといった形式で行われるのが一般的である。したがって、上記のように単にプレゼンテーションの様子を録画し再生する方法では、ある１つの画像に表示されている資料についての説明等のみを再現したい場合に、ビデオ再生を早送りする等の操作を行って所望の再生位置を探し出すといった煩雑な操作を行わなくてはならない。
【０００６】
そこで、プレゼンテーションの様子をビデオに録画するとともに、プレゼンテーションの際に説明者が、各々の資料画像をスクリーンに表示させたタイミング情報を取得するといった技術が提案されている（例えば、特許文献１参照）。
【０００７】
かかる技術では、プレゼンテーションの様子を録画した映像を再生する際に、取得した各画像の表示タイミング情報を参照することで、プレゼンテーション映像の再生時刻がある画像の表示タイミングとなった時点で当該ある画像を、その画像データに基づいて表示させるようにしている。このように録画映像とは別に資料等を表示させるために用意されている画像データに基づいて資料画像を表示させることで、資料等の画像を鮮明に表示させることができる。
【０００８】
【特許文献１】
特開平１０−５５３９１号公報
【０００９】
【発明が解決しようとする課題】
ところで、近年では、ＯＨＰ装置を利用するのではなく、ＰＣでプレゼンテーション用アプリケーションを動作させ、ユーザのキー操作に応じて順次画像データに基づく画像を表示させながらプレゼンテーションを行うのが主流となりつつある。
【００１０】
このようにＰＣで動作するプレゼンテーション用アプリケーションを利用する場合、上述した各画像の表示タイミング情報をユーザが行ったキー操作タイミングで取得することができるようになる。しかしながら、ユーザがＰＣで動作するプレゼンテーション用アプリケーションに対して行った操作内容や操作時刻等の情報である表示タイミング情報を取得するには、当該ＰＣで表示タイミングを取得するためのアプリケーションを動作させる必要がある。
【００１１】
プレゼンテーションでは、発表者が自らのＰＣで予め作成しておいた画像データを、プレゼンテーション用アプリケーションを動作させて表示させるといった態様で行われることが多い。このようなケースにおいて、上記のように表示タイミング情報を取得するためには、発表者が発表会場に持参したＰＣにタイミング情報取得機能を実現するアプリケーションをインストールしなくてはならない。
【００１２】
しかしながら、発表当日などは、時間に余裕がないケースが多く、上記のようにアプリケーションを発表者のＰＣにインストールする時間的な余裕がない場合がある。
【００１３】
また、発表者のＰＣのリソース（例えば、ハードディスクドライブ等の外部記憶装置の空き容量）に制限があり、上記のようなアプリケーションのインストールができなかったり、また発表者がリソースを消費することを嫌いアプリケーションのインストールを拒むことも考えられる。
【００１４】
さらには、発表者がセキュリティ上の観点から、自己のＰＣに表示タイミング情報を取得するためのアプリケーションをインストールされるのを嫌うケースも考えられる。特に、上記のように表示タイミング情報を取得するといった、発表者のＰＣから何らかのデータを取得するといったタイプのアプリケーションについては、そのインストールを拒むケースは多くなると考えられる。
【００１５】
以上のような理由から、発表者のＰＣに表示タイミングを取得するためのアプリケーションのインストールができないと、発表者がプレゼンテーション用アプリケーションに対して行った操作指示のタイミング等に関する情報を自動的に取得することができず、結果としてプレゼンテーションの撮影映像や音声と、表示した画像等を同期して再生等するためのプレゼンテーションデータの作成が困難となる。
【００１６】
この発明は上記に鑑みてなされたもので、発表者が自ら持参したＰＣ等のコンピュータ装置を用いてプレゼンテーションを行う場合に当該コンピュータ装置に新たなアプリケーションをインストールする等の改変ができないときでも、そのプレゼンテーションの際に発表者がコンピュータ装置に対して行ったプレゼンテーションに関する操作指示内容等を容易に取得することができるメモリユニット、プレゼンテーションデータ作成装置、プレゼンテーションデータ作成システム、プレゼンテーションデータ作成方法およびプレゼンテーション方法を得ることを目的とする。
【００１７】
【課題を解決するための手段】
上記目的を達成するため、請求項１にかかる発明は、ユーザの操作指示にしたがって画像を表示させるプレゼンテーション用アプリケーションが動作するコンピュータ装置と着脱自在に装着され、装着された状態において当該コンピュータ装置との間でデータの授受を行うことができるユニットであって、前記プレゼンテーション用アプリケーションに対してユーザが行った操作指示内容とその発生時刻に関するイベントデータを記録するデータ記憶領域と、前記イベントデータを取得して前記データ記憶領域に記憶させるイベントデータ取得処理を前記コンピュータ装置に実行させるプログラムを記憶するプログラム記憶領域とを有する記憶手段を備えることを特徴とするメモリユニットである。
【００１８】
請求項１にかかる発明によれば、ユーザがコンピュータ装置でプレゼンテーション用アプリケーションを動作させ、画像切り替え等を操作指示しながらプレゼンテーションを行った際に、当該コンピュータ装置がメモリユニットのプログラム領域から読み出したプログラムを実行することで、上記操作指示や発生時刻に関するイベントデータがメモリユニットのデータ記憶領域に記憶される。したがって、コンピュータ装置にメモリユニットを装着すれば、上記のようなイベントデータ取得のために新たなプログラムを当該コンピュータ装置にインストールすることなく、イベントデータを自動的に取得してメモリユニットのデータ領域に記憶させることができる。
【００１９】
また、請求項２にかかる発明は、ユーザの操作指示にしたがって画像を表示させるプレゼンテーション用アプリケーションが動作するコンピュータ装置から通信手段を介してアクセスがあった場合に前記コンピュータ装置に開放される記憶領域であって、前記プレゼンテーション用アプリケーションに対してユーザが行った操作指示内容とその発生時刻に関する情報を含むイベントデータを記録するデータ記憶領域と、前記イベントデータを取得して前記データ記憶領域に記憶させるイベントデータ取得処理を前記コンピュータ装置に実行させるプログラムを記憶するプログラム記憶領域とを有する記憶手段と、前記プレゼンテーション用アプリケーションを利用したプレゼンテーションの様子を撮影または録音したプレゼンテーション再現データを取得する取得手段と、前記記憶手段のデータ記憶領域に記憶されている前記イベントデータに含まれる操作指示内容と、前記取得手段によって取得されたプレゼンテーション再現データとを、前記イベントデータに含まれる発生時刻に基づいて時系列に対応付けてプレゼンテーションデータを作成するデータ生成手段とを具備することを特徴とするプレゼンテーションデータ作成装置である。
【００２０】
請求項２にかかる発明によれば、プレゼンテーション用アプリケーションが動作するコンピュータ装置から通信手段を介してアクセスがあった場合、そのコンピュータ装置に対し、イベントデータ取得処理を行わせるためのプログラムを記録した記憶領域とデータ記憶領域が開放される。したがって、当該コンピュータ装置がプログラム記憶領域から上記プログラムを取得して実行させることができ、これによりユーザが当該コンピュータ装置でプレゼンテーション用アプリケーションを動作させ、画像切り替え等を操作指示しながらプレゼンテーションを行った際に、上記操作指示や発生時刻に関するイベントデータが取得され、通信手段を介してデータ記憶領域に記憶される。したがって、コンピュータ装置に上記のようなイベントデータ取得のために新たなプログラムをインストールすることなく、イベントデータを自動的に取得することができる。
【００２１】
また、請求項３にかかる発明は、ユーザの操作指示にしたがって画像を表示させるプレゼンテーション用アプリケーションが動作するコンピュータ装置と着脱自在に装着され、装着された状態において当該コンピュータ装置との間でデータの授受を行うことができるメモリユニットと、プレゼンテーションデータ作成装置とを備えたプレゼンテーションデータ作成システムであって、前記メモリユニットは、前記プレゼンテーション用アプリケーションに対してユーザが行った操作指示内容に関するイベントデータを記録するデータ記憶領域と、前記イベントデータを取得して前記データ記憶領域に記憶させるイベントデータ取得処理を前記コンピュータ装置に実行させるプログラムを記憶するプログラム記憶領域とを有する記憶手段を備え、前記プレゼンテーションデータ作成装置は、前記プレゼンテーション用アプリケーションを利用したプレゼンテーションの様子を撮影または録音したプレゼンテーション再現データを取得する取得手段と、前記記憶手段のデータ記憶領域に記憶されている前記イベントデータに含まれる操作指示内容と、前記取得手段によって取得されたプレゼンテーション再現データとを、前記イベントデータに含まれる発生時刻に基づいて時系列に対応付けてプレゼンテーションデータを作成するデータ生成手段とを備えることを特徴とするプレゼンテーションデータ作成システムである。
【００２２】
請求項３にかかる発明によれば、ユーザがコンピュータ装置でプレゼンテーション用アプリケーションを動作させ、画像切り替え等を操作指示しながらプレゼンテーションを行った際に、当該コンピュータ装置がメモリユニットのプログラム領域から読み出したプログラムを実行することで、上記操作指示や発生時刻に関するイベントデータがメモリユニットのデータ記憶領域に記憶されることになる。したがって、コンピュータ装置にメモリユニットを装着すれば、上記のようなイベントデータ取得のために新たなプログラムを当該コンピュータ装置にインストールすることなく、イベントデータを自動的に取得してメモリユニットのデータ領域に記憶させることができ、かかるデータ領域に記憶されたイベントデータを用いてプレゼンテーションデータを作成することができる。
【００２３】
また、請求項４にかかる発明は、ユーザの操作指示にしたがって画像を表示させるプレゼンテーション用アプリケーションが動作するコンピュータ装置と、前記コンピュータ装置と着脱自在に装着され、装着された状態において当該コンピュータ装置との間でデータの授受を行うことができるユニットであって、前記プレゼンテーション用アプリケーションに対してユーザが行った操作指示内容に関するイベントデータを記録するデータ記憶領域と、前記イベントデータを取得して前記データ記憶領域に記憶させるイベントデータ取得処理を前記コンピュータ装置に実行させるプログラムを記憶するプログラム記憶領域とを有する記憶手段を備えるメモリユニットと、プレゼンテーションデータ作成装置とを用い、プレゼンテーションデータを作成する方法であって、前記コンピュータ装置に前記メモリユニットを装着する装着ステップと、前記コンピュータ装置により前記メモリユニットに記憶されたプログラムにしたがって前記イベントデータ取得処理を行わせるとともに、当該コンピュータ装置において前記プレゼンテーション用アプリケーションを動作させながらユーザが当該プレゼンテーション用アプリケーションに対して操作指示を行ってプレゼンテーションを行うプレゼンテーションステップと、前記プレゼンテーションの様子を撮影または録音する撮影／録音ステップと、前記プレゼンテーション終了後、前記プレゼンテーションデータ作成装置に、前記プレゼンテーションの様子を撮影または録音したプレゼンテーション再現データと、前記メモリユニットのデータ記憶領域に記憶されている前記イベントデータに含まれる操作指示内容とを、前記イベントデータに含まれる発生時刻に基づいて時系列に対応付けてプレゼンテーションデータを作成させるデータ作成ステップとを具備することを特徴とするプレゼンテーションデータ作成方法である。
【００２４】
請求項４にかかる発明によれば、メモリユニットをコンピュータ装置に装着し、当該コンピュータ装置がメモリユニットのプログラム領域から読み出したプログラムを実行するので、ユーザがコンピュータ装置でプレゼンテーション用アプリケーションを動作させ、画像切り替え等を操作指示しながらプレゼンテーションを行った際に、上記操作指示や発生時刻に関するイベントデータがメモリユニットのデータ記憶領域に記憶される。したがって、コンピュータ装置にメモリユニットを装着すれば、上記のようなイベントデータ取得のために新たなプログラムを当該コンピュータ装置にインストールすることなく、イベントデータを自動的に取得してメモリユニットのデータ領域に記憶させることができ、かかるイベントデータと、プレゼンテーションを撮影した映像等の再現データとを用いてプレゼンテーションデータを容易に作成することができる。
【００２５】
また、請求項５にかかる発明は、ユーザの操作指示にしたがって画像を表示させるプレゼンテーション用アプリケーションが動作するコンピュータ装置と、ユーザの操作指示にしたがって画像を表示させるプレゼンテーション用アプリケーションが動作するコンピュータ装置から通信手段を介してアクセスがあった場合に前記コンピュータ装置に各々開放される記憶領域であって、前記プレゼンテーション用アプリケーションに対してユーザが行った操作指示内容とその発生時刻に関する情報を含むイベントデータを記録するデータ記憶領域と、前記イベントデータを取得して前記データ記憶領域に記憶させるイベントデータ取得処理を前記コンピュータ装置に実行させるプログラムを記憶するプログラム記憶領域とを有する記憶手段を備えるプレゼンテーションデータ作成装置とを用い、プレゼンテーションデータを作成する方法であって、前記コンピュータ装置に前記プレゼンテーションデータ領域に前記通信手段を介してアクセスさせるアクセスステップと、前記コンピュータ装置により前記プレゼンテーションデータ作成装置に記憶されたプログラムにしたがって前記イベントデータ取得処理を行わせるとともに、当該コンピュータ装置において前記プレゼンテーション用アプリケーションを動作させながらユーザが当該プレゼンテーション用アプリケーションに対して操作指示を行ってプレゼンテーションを行うプレゼンテーションステップと、前記プレゼンテーションの様子を撮影または録音する撮影／録音ステップと、前記プレゼンテーション終了後、前記プレゼンテーションデータ作成装置に、前記プレゼンテーションの様子を撮影または録音したプレゼンテーション再現データと、前記データ記憶領域に記憶されている前記イベントデータに含まれる操作指示内容とを、前記イベントデータに含まれる発生時刻に基づいて時系列に対応付けてプレゼンテーションデータを作成させるデータ作成ステップとを具備することを特徴とするプレゼンテーションデータ作成方法である。
【００２６】
請求項５にかかる発明によれば、コンピュータ装置からプレゼンテーションデータ作成装置にアクセスすることで、そのコンピュータ装置に対し、イベントデータ取得処理を行わせるためのプログラムを記録した記憶領域とデータ記憶領域が開放される。したがって、当該コンピュータ装置がプレゼンテーションデータ作成装置から上記プログラムを取得して実行させることができ、これによりユーザが当該コンピュータ装置でプレゼンテーション用アプリケーションを動作させ、画像切り替え等を操作指示しながらプレゼンテーションを行った際に、上記操作指示や発生時刻に関するイベントデータが取得され、プレゼンテーションデータ作成装置のデータ記憶領域に記憶される。したがって、コンピュータ装置に上記のようなイベントデータ取得のために新たなプログラムをインストールすることなく、イベントデータを自動的に取得することができ、かかるイベントデータと、プレゼンテーションの様子を撮影等した再現データとを用いたプレゼンテーションデータを容易に作成することができる。
【００２７】
また、請求項６にかかる発明は、ユーザの操作指示にしたがって画像を表示させるプレゼンテーション用アプリケーションが動作するコンピュータ装置と、前記コンピュータ装置と着脱自在に装着され、装着された状態において当該コンピュータ装置との間でデータの授受を行うことができるユニットであって、前記プレゼンテーション用アプリケーションに対してユーザが行った操作指示内容に関するイベントデータを記録するデータ記憶領域と、前記イベントデータを取得して前記データ記憶領域に記憶させるイベントデータ取得処理を前記コンピュータ装置に実行させるプログラムを記憶するプログラム記憶領域とを有する記憶手段を備えるメモリユニットと、プレゼンテーションデータ作成装置とを用いてプレゼンテーションを行う方法であって、前記コンピュータ装置に前記メモリユニットを装着する装着ステップと、前記コンピュータ装置により前記メモリユニットに記憶されたプログラムにしたがって前記イベントデータ取得処理を行わせるとともに、当該コンピュータ装置において前記プレゼンテーション用アプリケーションを動作させながらユーザが当該プレゼンテーション用アプリケーションに対して操作指示を行ってプレゼンテーションを行うプレゼンテーションステップと、前記プレゼンテーションの様子を撮影または録音する撮影／録音ステップと、前記プレゼンテーション終了後、前記プレゼンテーションデータ作成装置に、前記プレゼンテーションの様子を撮影または録音したプレゼンテーション再現データと、前記メモリユニットのデータ記憶領域に記憶されている前記イベントデータに含まれる操作指示内容とを、前記イベントデータに含まれる発生時刻に基づいて時系列に対応付けてプレゼンテーションデータを作成させるデータ作成ステップとを具備することを特徴とするプレゼンテーション方法である。
【００２８】
請求項６にかかる発明によれば、メモリユニットをコンピュータ装置に装着し、当該コンピュータ装置がメモリユニットのプログラム領域から読み出したプログラムを実行するので、ユーザがコンピュータ装置でプレゼンテーション用アプリケーションを動作させ、画像切り替え等を操作指示しながらプレゼンテーションを行った際に、上記操作指示や発生時刻に関するイベントデータがメモリユニットのデータ記憶領域に記憶される。したがって、コンピュータ装置にメモリユニットを装着すれば、上記のようなイベントデータ取得のために新たなプログラムを当該コンピュータ装置にインストールすることなく、イベントデータを自動的に取得してメモリユニットのデータ領域に記憶させることができ、かかるイベントデータと、プレゼンテーションを撮影した映像等の再現データとを用いてプレゼンテーションデータを容易に作成することができる。
【００２９】
また、請求項７にかかる発明は、ユーザの操作指示にしたがって画像を表示させるプレゼンテーション用アプリケーションが動作するコンピュータ装置と、ユーザの操作指示にしたがって画像を表示させるプレゼンテーション用アプリケーションが動作するコンピュータ装置から通信手段を介してアクセスがあった場合に前記コンピュータ装置に各々開放される記憶領域であって、前記プレゼンテーション用アプリケーションに対してユーザが行った操作指示内容とその発生時刻に関する情報を含むイベントデータを記録するデータ記憶領域と、前記イベントデータを取得して前記データ記憶領域に記憶させるイベントデータ取得処理を前記コンピュータ装置に実行させるプログラムを記憶するプログラム記憶領域とを有する記憶手段を備えるプレゼンテーションデータ作成装置とを用い、プレゼンテーションを行う方法であって、前記コンピュータ装置に前記プレゼンテーションデータ領域に前記通信手段を介してアクセスさせるアクセスステップと、前記コンピュータ装置により前記プレゼンテーションデータ作成装置に記憶されたプログラムにしたがって前記イベントデータ取得処理を行わせるとともに、当該コンピュータ装置において前記プレゼンテーション用アプリケーションを動作させながらユーザが当該プレゼンテーション用アプリケーションに対して操作指示を行ってプレゼンテーションを行うプレゼンテーションステップと、前記プレゼンテーションの様子を撮影または録音する撮影／録音ステップと、前記プレゼンテーション終了後、前記プレゼンテーションデータ作成装置に、前記プレゼンテーションの様子を撮影または録音したプレゼンテーション再現データと、前記データ記憶領域に記憶されている前記イベントデータに含まれる操作指示内容とを、前記イベントデータに含まれる発生時刻に基づいて時系列に対応付けてプレゼンテーションデータを作成させるデータ作成ステップとを具備することを特徴とするプレゼンテーション方法である。
【００３０】
請求項７にかかる発明によれば、コンピュータ装置からプレゼンテーションデータ作成装置にアクセスすることで、そのコンピュータ装置に対し、イベントデータ取得処理を行わせるためのプログラムを記録した記憶領域とデータ記憶領域が開放される。したがって、当該コンピュータ装置がプレゼンテーションデータ作成装置から上記プログラムを取得して実行させることができ、これによりユーザが当該コンピュータ装置でプレゼンテーション用アプリケーションを動作させ、画像切り替え等を操作指示しながらプレゼンテーションを行った際に、上記操作指示や発生時刻に関するイベントデータが取得され、プレゼンテーションデータ作成装置のデータ記憶領域に記憶される。したがって、コンピュータ装置に上記のようなイベントデータ取得のために新たなプログラムをインストールすることなく、イベントデータを自動的に取得することができ、かかるイベントデータと、プレゼンテーションの様子を撮影等した再現データとを用いたプレゼンテーションデータを容易に作成することができる。
【００３１】
【発明の実施の形態】
以下に添付図面を参照して、この発明にかかるメモリユニット、プレゼンテーションデータ作成装置、プレゼンテーションデータ作成システム、プレゼンテーションデータ作成方法およびプレゼンテーション方法の好適な実施の形態を詳細に説明する。
【００３２】
Ａ．第１実施形態
Ａ−１．構成
図１は、本発明の一実施形態にかかるプレゼンテーションデータ作成を伴うプレゼンテーション方法を実施するためのプレゼンテーションデータ作成システムの全体構成を示す図である。同図に示すように、このプレゼンテーションデータ作成システム１００は、ＰＣ（Ｐｅｒｓｏｎａｌ  Ｃｏｍｐｕｔｅｒ）１１０と、ＰＣ（Ｐｅｒｓｏｎａｌ  Ｃｏｍｐｕｔｅｒ）１２０と、ＤＶ（Ｄｉｇｉｔａｌ  Ｖｉｄｅｏ）カメラ１３０と、投影機１４０と、メモリユニット（メモリユニット）１５０とを備える。
【００３３】
ＰＣ１１０は、プロジェクター装置等である投影機１４０とＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４等のインターフェースを介して接続されており、このような通信手段を介して両者間でデータの授受を行うことができるようになっている。ＰＣ１２０は、ＤＶカメラ１３０とＩＥＥＥ１３９４等のインターフェースを介して接続されており、このような通信手段を介して両者の間でデータの授受を行うことができるようになっている。
【００３４】
図２に示すように、このＰＣ１１０は、互いにバスＢＵＳを介して接続されるＣＰＵ（Ｃｅｎｔｒａｌ  Ｐｒｏｃｅｓｓｉｎｇ  Ｕｎｉｔ）１０１、ＲＯＭ１０２、ＲＡＭ１０３、外部記憶装置１０５、接続インターフェース（Ｉ／Ｆ：ｉｎｔｅｒｆａｃｅ）１０６、ユーザインターフェース（Ｉ／Ｆ）１０７および表示部１０８を備えている。
【００３５】
ＣＰＵ１０１は、各種演算処理を行うとともに各部を制御する。ＲＯＭ１０２はＣＰＵ１０１に読み出された実行されるＢＩＯＳ（Ｂａｓｉｃ  Ｉｎｐｕｔ  ／  Ｏｕｔｐｕｔ  Ｓｙｓｔｅｍ）等のプログラムを格納する。ＲＡＭ１０３は、ＣＰＵ１０１のワークメモリとして使用される。ハードディスクドライブ等の外部記憶装置１０５はＣＰＵ１２０に読み出されて実行されるオペレーティングシステム（ＯＳ：Ｏｐｅｒａｔｉｎｇ  Ｓｙｓｔｅｍ）やアプリケーション等のプログラム群を格納している。
【００３６】
接続インターフェース１０６は、ＵＳＢ（Ｕｎｉｖｅｒｓａｌ  Ｓｅｒｉａｌ  Ｂｕｓ）やＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）等によるメモリカード規格にしたがったインターフェースである。ＰＣ１１０は、かかる接続インターフェース１０６を介してＵＳＢにしたがった接続インターフェースを有する機器との間でのデータの授受や、ＰＣカード等のメモリカードのメモリ領域へのデータの記録や読み出し等を行うことができる。
【００３７】
ユーザインターフェース１０７は、キーボードやマウス等を有しており、ユーザ操作に応じた入力情報をＣＰＵ１０１等に供給する。表示部１０８は、ＣＲＴ（Ｃａｔｈｏｄｅ−Ｒａｙ  Ｔｕｂｅ）やＬＣＤ（Ｌｉｑｕｉｄ  Ｃｒｙｓｔａｌ  Ｄｉｓｐｌａｙ）を有しており、種々の情報を表示する。
【００３８】
上記構成の下、ＰＣ１１０の電源を投入すると、ＣＰＵ１０１が、ファイル管理、メモリ管理、入出力の管理、ユーザインターフェース等の提供を行う基本ソフトウェアであるＯＳを読み出して起動し、その後ユーザが指定したアプリケーション等がＣＰＵ１０１によって外部記憶装置１０５から読み出されて実行され、種々の機能が実現できるようになっている。
【００３９】
ＰＣ１１０の外部記憶装置１０５には、プレゼンテーション用の種々の機能を実現するプレゼンテーション用アプリケーションが格納されている。かかるＰＣ１１０においてこのプレゼンテーション用アプリケーションを起動させることで、ユーザはプレゼンテーション時にスクリーン等に表示すべきスライド画像（表、グラフ、文書、図柄等）に対応するスライド画像表示用データを作成することができる。
【００４０】
図３に例示するように、このプレゼンテーション用アプリケーションでは、１つのプレゼンテーションに用いられるために作成された複数のスライド画像表示用データが１つのスライド画像ファイルとして管理される。そして、当該スライド画像ファイルに含まれる各々スライド画像表示用データには、スライド画像に対応する表示用データの他に、そのスライド画像のタイトルデータ、ページ番号といったデータが含まれている。
【００４１】
スライド画像のタイトルデータは、そのスライド画像のタイトルを示すデータであり、例えばスライド画像が、１年間のＡ商品の販売個数の推移を月別に示すグラフである場合には、「○○年のＡ商品の販売個数の推移」といった情報であり、その内容はユーザが当該スライド画像表示用データを作成する際に自ら入力することで決定される。なお、ユーザが自らタイトル入力を行わなかった場合には、そのスライド画像の最上段に表示される文字列等をプレゼンテーション用アプリケーションが自動的に取得し、その文字列をタイトルデータとするようにしてもよい。このようにタイトルデータは、そのスライド画像を他のスライド画像と区別するための役割も果たしており、ユーザがスライド画像表示用データを作成・編集等する際に、そのスライド画像を識別するためのデータ（識別データ）でもある。
【００４２】
ページ番号データは、当該ファイルに含まれる複数のスライド画像表示用データのうちの何番目のスライド画像表示用データであるかを示すデータであり、通常はプレゼンテーションにおいて表示すべき順序を示すデータであり、スライド画像表示用データ作成・編集の際にユーザが入力することで決定される。例えば、あるプレゼンテーションが、１０のスライド画像を順次表示させて行うものである場合、このために作成された１０個のスライド画像表示用データの各々には、通常ユーザが予定している表示順序にしたがって１ページ〜１０ページのいずれかのページ番号データが含まれることになる。
【００４３】
また、ユーザは、ユーザインターフェース１０７を適宜操作することで、作成した複数のスライド画像表示用データのいずれかを選択し、所望のタイミングでそのスライド画像表示用データに基づく画像を表示部１０８に表示させることができる。すなわち、プレゼンテーション用アプリケーションを利用することで、ユーザは、予め作成しておいたスライド画像ファイルに含まれる複数のスライド画像表示用データに対応するスライド画像の各々を適宜選択して所望のタイミングで表示させることができる。
【００４４】
なお、このプレゼンテーション用アプリケーションでは、ユーザが所定のキー操作等を行うことでまず１ページ目のスライド画像表示用データに基づく画像表示が行われ、その後所定のキー操作等を行うことで、表示中のスライド画像の次ページのスライド画像が表示されることになるが、所定の操作を行うことで各スライド画像表示用データのページ番号の順序にかかわらず、任意の順序でスライド画像を表示させることもできるようになっている。
【００４５】
以上のようにＰＣ１１０の外部記憶装置１０５に格納されているプレゼンテーション用アプリケーションが実行されるＰＣ１１０によれば、作成したスライド画像表示用データに基づくスライド画像表示を行うことができる。そして、図１に示すようにＰＣ１１０と投影機１４０を接続することで、かかるスライド画像表示用データがＰＣ１１０から投影機１４０に供給され、これによりスクリーン上にスライド画像を表示させることができる。このような構成により、ユーザはＰＣ１１０を適宜操作することで、所望のタイミングでスクリーン上に表示されるスライド画像を順次切り替えながら、プレゼンテーションを行うことができるのである。
【００４６】
図４に示すように、メモリユニット１５０は、ＵＳＢメモリユニットやＰＣＭＣＩＡの規格にしたがったメモリカード（ＰＣカード）等であり、接続インター−フェース（Ｉ／Ｆ）部４５０と、メモリ部（記憶手段）４６０とを備える。
【００４７】
接続インターフェース部４５０は、当該メモリユニット１５０がＵＳＢメモリユニットである場合には、ＵＳＢインターフェースであり、ＰＣカードである場合にはＰＣＭＣＩＡの規格にしたがった接続インターフェースである。
【００４８】
メモリ部４６０は、半導体メモリ等から構成される記憶領域４７０を有しており、図５に示すようにＰＣ１１０に当該メモリユニット１５０が装着された場合においてＰＣ１１０から指示があったときには、当該記憶領域４７０に記憶されているデータを読み出して接続インターフェース部４５０を介してＰＣ１１０に供給する。また、ＰＣ１１０から供給されるデータをＰＣ１１０の指示にしたがってその記憶領域４７０へ記録する。
【００４９】
すなわち、メモリユニット１５０をＰＣ１１０に装着した状態においては、ＰＣ１１０はメモリユニット１５０の記憶領域４７０を、自らの装置内の記憶領域と同様に扱うことができ、データを読み出したり、記録したりすることができるのである。
【００５０】
メモリユニット１５０の記憶領域４７０は、プレゼンテーション監視アプリケーションを記憶するアプリケーション領域（プログラム領域）４７０ａと、かかるプレゼンテーション監視アプリケーションが実行されているときに、後述するイベントデータやスライド画像ファイル等を記録することができるデータ領域４７０ｂとを有している。
【００５１】
図１に示すＰＣ１２０は、図２に示すＰＣ１１０と同様のハードウェア構成を有しているが、その外部記憶装置にはプレゼンテーションデータ自動作成アプリケーションが格納されている。かかるプレゼンテーションデータ自動作成アプリケーションを起動することで、ＰＣ１２０においてプレゼンテーションデータを自動作成することができるようになっている。
【００５２】
なお、プレゼンテーションデータとは、上述したようにプレゼンテーション用アプリケーションで作成したスライド画像表示用データをスクリーン等に表示させながらプレゼンテーションを行う様子をＤＶカメラ１３０で撮影した映像、その際にスクリーンに表示させていたスライド画像、各スライド画像のタイトルの一覧表示を１つの画面に表示させるためのデータである。
【００５３】
Ａ−２．プレゼンテーションデータ自動作成を伴うプレゼンテーション方法
次に、上記のようなプレゼンテーションデータ作成システム１００を用い、プレゼンテーションデータ自動作成を伴うプレゼンテーション方法について説明する。
【００５４】
まず、プレゼンテーションを行うのに先立ち、事前に発表者は自己が所持等するＰＣ１１０でプレゼンテーション用アプリケーションを動作させ、このプレゼンテーションで表示させるスライド画像に対応するスライド画像ファイルを作成しておく。そして、プレゼンテーションにおいて発表者は、当該ＰＣ１１０を用いてプレゼンテーションを行うものとする。すなわち、ＰＣ１１０でプレゼンテーション用アプリケーションを動作させて、予め作成したおいたスライド画像ファイル中のスライド画像表示用データに基づくスライド画像表示を行わせることになる。
【００５５】
図６に示すように、当該プレゼンテーション方法では、ＰＣ１１０にメモリユニット１５０を装着させ、両者の間でデータの授受が可能な状態とする（ステップＳａ１）。
【００５６】
このようにＰＣ１１０にメモリユニット１５０を装着した後、ＰＣ１１０のユーザインターフェース１０７を介してＰＣ１１０のＣＰＵ１０１に対し、メモリユニット１５０のアプリケーション領域４７０ａに記録されているプレゼンテーション監視アプリケーションを起動するよう指示する（ステップＳａ２）。
【００５７】
また、ＰＣ１１０のユーザインターフェース１０７を介してＰＣ１１０のＣＰＵ１０１に対し、その外部記憶装置１０５に格納されているプレゼンテーション用アプリケーションを起動するよう指示する（ステップＳａ３）。
【００５８】
また、ＰＣ１２０のユーザインターフェースを介してＰＣ１２０のＣＰＵに対し、その外部記憶装置に格納されているプレゼンテーションデータ自動作成アプリケーションを起動するよう指示する（ステップＳａ４）。
【００５９】
以上のようなステップを経て、上記アプリケーションをＰＣ１１０およびＰＣ１２０において起動させたときのプレゼンテーションデータ作成システム１００の機能構成を図７に示す。以下においては、これらの構成（アプリケーション等）を動作主体として説明するが、実際の動作主体はＣＰＵ１０１等のハードウェアである。
【００６０】
同図に示すように、このプレゼンテーションデータ作成システム１００におけるメモリユニット１５０を装着したＰＣ１１０は、ユーザインターフェース１０７と、プレゼンテーション用アプリケーション４０１と、プレゼンテーション監視アプリケーション４０２と、外部記憶装置１０５と、データ領域４７０ｂとを備える。上述したようにプレゼンテーション監視アプリケーション４０２は、ＰＣ１１０に装着されたメモリユニット１５０のアプリケーション領域４７０ａに記録されているアプリケーションをＰＣ１１０のＣＰＵ１０１が実行することで実現される機能であり、データ領域４７０ｂはメモリユニット１５０のメモリ部４６０に用意されている記憶領域である。
【００６１】
上述したようにＰＣ１１０におけるプレゼンテーション用アプリケーションは、ユーザインターフェース１０７を介して入力されるユーザの操作指示内容にしたがって作成したスライド画像表示用データに基づく画像表示を行うべく、スライド画像表示用データを投影機１４０（図１参照）に送信する。これによりユーザの操作に応じたタイミングでユーザの所望するスライド画像がスクリーン上に表示される。
【００６２】
プレゼンテーション監視アプリケーション４０２は、上記のようにユーザ操作にしたがったプレゼンテーション用アプリケーション４０１の動作を監視する。より具体的には、プレゼンテーション用アプリケーション４０１が動作しているときに、ユーザからユーザインターフェース１０７を介してプレゼンテーション用アプリケーション４０１に対してなされた指示等のイベントデータを取得する。
【００６３】
イベントデータとは、ユーザがプレゼンテーション用アプリケーション４０１に対して行った指示内容（例えば、スライド画像表示の開始、終了、表示するスライド画像の変更指示等）と、その指示タイミングとを含むデータである。プレゼンテーション監視アプリケーション４０２は、プレゼンテーション用アプリケーション４０１が動作している間に取得したイベントデータをメモリユニット１５０のデータ領域４７０ｂに記録しておくよう構成されている。
【００６４】
すなわち、メモリユニット１５０のアプリケーション領域４７０ａに格納されたアプリケーションが、メモリユニット１５０が装着されたＰＣのＣＰＵによって実行されると、取得したイベントデータをそのＰＣ内の記憶装置ではなくメモリユニット１５０のデータ領域４７０ｂに記憶させるのである。このように記録されたイベントデータを参照することで、どの時刻にどのスライド画像が表示されていたかということを知ることができる。
【００６５】
そして、プレゼンテーション監視アプリケーション４０２は、ユーザの操作によりプレゼンテーション用アプリケーション４０１に対し、プレゼンテーションが終了した旨の指示があった場合には、そのイベントデータを取得してデータ領域４７０ｂに記録するとともに、当該プレゼンテーションに利用されたスライド画像ファイル（図３参照）を外部記憶装置１０５から読み出し、これをデータ領域４７０ｂに記憶する。
【００６６】
次に、プレゼンテーションデータ作成時におけるＰＣ１２０は、録画部４１１と、プレゼンテーションデータ自動作成アプリケーション４１２とを備える。
【００６７】
録画部（取得手段）４１１は、ソフトウェアである録画アプリケーションまたはハードウェア回路によって構成されるキャプチャボード等であり、ＤＶカメラ１３０に対して撮影開始、撮影終了等の指示を行うとともに、ＤＶカメラ１３０によって撮影されてＰＣ１２０に供給される映像データを外部記憶装置に記憶（録画）するものである。
【００６８】
以上のようなアプリケーションの起動が終了すると、これから行うプレゼンテーションの様子を撮影するためＤＶカメラを所定の位置にセットする等の撮影準備を行い、発表者はユーザインターフェース１０７を介してプレゼンテーション用アプリケーションに対してプレゼンテーションを開始する旨の指示をなし、最初に表示すべくスライド画像を表示させ、プレゼンテーションを開始する（ステップＳａ５）。このとき、ユーザ（発表者以外でもよい）は撮影開始の指示をプレゼンテーションの開始と同期してＰＣ１２０に対して、もしくＤＶカメラ１３０に対して直接行い、プレゼンテーションの撮影を開始させる。
【００６９】
また、撮影終了も上記のようにプレゼンテーション用アプリケーション４０１に対するユーザの終了指示に応じて録画部４１１が自動的に行うようにすればよい。かかる指示に応じて録画部４１１によるプレゼンテーションの様子の録画が終了すると、撮影開始から撮影終了までに録画したデータを映像ファイルとしてＰＣ１２０の外部記憶装置に記憶させ、その保存ディレクトリやファイル名等の保存個所特定情報（パス情報）をプレゼンテーションデータ自動作成アプリケーション４１２に通知する。
【００７０】
以上のようにＤＶカメラ１３０によって撮影されているプレゼンテーションが終了すると、ユーザは撮影終了指示を行い、以下の操作を行う。すなわち、ＰＣ１１０に装着されているメモリユニット１５０をＰＣ１１０から取り外し、これをＰＣ１２０に装着する。そして、ユーザがＰＣ１２０で動作するプレゼンテーションデータ自動作成アプリケーションに対してメモリユニット１５０のデータ領域４７０ｂに記録されているデータを読み出すよう指示し（ステップＳａ６）、これによりデータ領域４７０ｂに記録されているイベントデータやスライド画像ファイルをＰＣ１２０に取り込むことができる。
【００７１】
以上のようにしてメモリユニット１５０のデータ領域４７０ｂに記録されているイベントデータやスライド画像ファイルがＰＣ１２０に取り込まれると、ユーザはプレゼンテーションデータ自動作成アプリケーション４１２に対し、取り込んだスライド画像ファイル中のスライド画像表示用データと、録画部４１１によって録画されたプレゼンテーションの様子を撮影した映像データに基づく映像と、これらのスライド画像のタイトル等の文字情報を同期して表示させることができるプレゼンテーションデータを作成させるよう指示する（ステップＳａ７）。
【００７２】
かかる指示に応じてプレゼンテーションデータ自動作成アプリケーション４１２によって作成されるデータ、つまり画像、映像、文字等の種々の異なる形式のデータの再生を制御して同期させるデータのフォーマットとして、例えばＳＭＩＬ（Ｓｙｎｃｈｒｏｎｉｚｅｄ  Ｍｕｌｔｉｍｅｄｉａ  Ｉｎｔｅｇｒａｔｉｏｎ  Ｌａｎｇｕａｇｅ）形式があり、本実施形態におけるプレゼンテーションデータ自動作成アプリケーション（データ生成手段）４１２はプレゼンテーションデータとしてかかるＳＭＩＬ形式のデータを作成する。
【００７３】
このようなプレゼンテーションデータをＰＣ等で所定の再生ソフトウェア（例えばＳＭＩＬ形式データを再生するソフトウェア）により再生することで、その表示画面には図８に示すような表示がなされることになる。
【００７４】
同図に示すように、この表示画面には、ＤＶカメラ１３０が撮影したプレゼンテーションの様子を表示する映像表示欄５００と、プレゼンテーション中において映像表示欄５００にその時点で表示されている映像の撮影時に表示されていたスライド画像を表示するスライド画像欄５１０と、このプレゼンテーションで利用されたスライド画像のタイトルをその表示順序で一覧表示する目次欄５２０とが表示されるようになっている。かかる目次欄５２０の一覧表示を参照することで、ユーザはどのような内容のスライド画像がどのような順序で表示されたかを知ることができる。
【００７５】
また、目次欄５２０に一覧表示されたタイトルの中からユーザが所望のタイトルをマウスによってクリック等することで、そのタイトルに対応するスライド画像がスライド画像欄５１０に表示されるとともに、そのスライド画像を表示していたときに撮影された映像が映像表示欄５００に表示されるようになっている。
【００７６】
プレゼンテーションデータとは、以上のような映像、スライド画像、タイトル等の文字を同期して再生表示させることを可能とするデータであり、以下、プレゼンテーションデータ作成処理の詳細について説明する。
【００７７】
まず、プレゼンテーションデータ自動作成アプリケーション４１２は、メモリユニット１５０のデータ領域４７０ｂから読み出して取得したスライド画像ファイルから、タイトルデータ、ページ番号データ等の文字情報等を抽出する。すなわち、スライド画像ファイルの中に含まれる各スライド画像表示用データのタイトルデータ、ページ番号データを抽出する。
【００７８】
また、プレゼンテーションデータ自動作成アプリケーション４１２は、データ領域４７０ｂから読み出して取得したスライド画像ファイルからスライド画像表示用データを抽出し、これを所定の形式（例えば、ＪＰＥＧ（Ｊｏｉｎｔ  Ｐｈｏｔｏｇｒａｐｈｉｃ  Ｅｘｐｅｒｔｓ  Ｇｒｏｕｐ）などの汎用の形式）のスライド画像表示用のデータとして保存する。
【００７９】
次に、プレゼンテーションデータ自動作成アプリケーション４１２は、データ領域４７０ｂから読み出して取得したイベントデータ、抽出したタイトルデータやページ番号データ等の文書情報、スライド画像ファイルおよび録画部４１１によって録画された映像ファイルとに基づいて、図８に示されるように当該映像データに基づく映像と、スライド画像ファイル中のスライド画像表示用データに基づくスライド画像と、これらのスライド画像のタイトル等の文字情報を同期して表示させることができるプレゼンテーションデータを作成する。
【００８０】
上述したように本実施形態では、このようなプレゼンテーションデータとしてＳＭＩＬ形式のデータを作成することとしており、プレゼンテーションデータ自動作成アプリケーション４１２は、以下のデータを取得し、これらをＳＭＩＬ形式にしたがって記述することでＳＭＩＬ形式のプレゼンテーションデータを作成する。
（１）各スライド画像の表示タイミング（開始時刻、終了時刻）
（２）各々のスライド画像のタイトルデータ等（タイトル、本文の内容、ページ番号等）
（３）各スライド画像（ＪＰＥＧ等）の保存場所（ファイルパス情報）
（４）各スライド画像に対応する映像ファイルの保存場所（ファイルパス情報）
（５）映像表示欄５００、スライド画像欄５１０、目次欄５２０（図８参照）をどのように配置するかを示すレイアウトデータ
【００８１】
なお、（５）のレイアウト情報については、イベントデータ等のデータからではなく、ユーザが設定指示したレイアウトにしたがって作成されたデータである。
【００８２】
このように作成されるプレゼンテーションデータにおける、タイトルとスライド画像と映像ファイルとの同期の対応関係について図９に模式的に示す。同図に示す例では、プレゼンテーション時にユーザのプレゼンテーション用アプリケーション４０１に対する操作により、スライド画像Ａが時刻０：００〜１：１５の間表示され、その次にスライド画像Ｂに表示が切り替えられ、時刻１：１５〜２：４５の間表示され、その次にスライド画像Ｃが時刻２：４５〜３：５３の間表示されていたものとする。
【００８３】
プレゼンテーション時に以上のようなタイミングでスライド画像表示が行われると、スライド画像Ａが表示されている間（時刻０：００〜１：１５）に撮影された映像ファイルとスライド画像Ａおよびそのタイトル「はじめに」が対応つけられ、スライド画像Ｂが表示されている間（時刻１：１５〜２：４５）に撮影されていた映像ファイルとスライド画像Ｂおよびそのタイトル「背景」が対応つけられ、さらにスライド画像Ｃが表示されている間（時刻２：４５〜３：５３）に撮影された映像ファイルがスライド画像Ｃおよびそのタイトル「概略」に対応つけられている。
【００８４】
このようなタイトルという文字情報、スライド画像という静止画、プレゼンテーションの様子を撮影した映像ファイルといった異なる形式のデータの再生を上記のような対応関係に基づいて制御して同期させることができるＳＭＩＬ形式のデータを作成するのである。
【００８５】
かかるプレゼンテーションデータをＰＣ等で所定の再生ソフトウェアにより再生することで、その表示画面には図８に示すような表示がなされることになる。かかる表示を参照しているユーザが「背景」をクリックすれば、プレゼンテーションデータにはこの表示にスライド画像Ｂへのパスおよびこれに対応する映像ファイル（開始時刻１：１５〜）のリンクが記述されているので、再生ソフトウェアによってこれに対応するスライド画像Ｂがスライド画像欄５１０に表示されるとともに、このタイトルに対応する時刻１：１５から映像ファイルの再生が開始され映像表示欄５００に表示される。また、「概略」をクリックすれば、当該タイトルに対応するスライド画像Ｃおよび映像ファイル（開始時刻２：４５）へのパスがリンクされているので、上記と同一のスライド画像Ｃがスライド画像欄５１０に表示されるものの、映像表示欄５００には時刻２：４５からの映像ファイルの再生映像が表示されることになる。
【００８６】
もちろん、映像表示欄５００に表示される映像の時刻をユーザが指定することで、その指定時刻に表示されていたスライド画像をスライド画像欄５１０に表示させることもできる。例えば、ユーザが２：３０からの映像再生を指示した場合には、プレゼンテーションデータにしたがって再生ソフトウェアが、その時刻からの映像再生を行うとともに、指定時刻２：３０に対応つけられているスライド画像Ｂ（１：１５〜２：４５の映像に対応している）を読み出してスライド画像欄５１０に表示させる。
【００８７】
以上のように過程を経ることで、プレゼンテーション終了後にプレゼンテーションデータがＰＣ１２０によって作成される。このようにして作成されるプレゼンテーションデータは、プレゼンテーションの様子を撮影した映像と、そのプレゼンテーションの際にスクリーン等に表示されていたスライド画像とを同一画面に表示させることができるデータであり、またプレゼンテーション映像が再生している再生時刻において、スクリーンに表示されていたスライド画像が表示されるようになっている。
【００８８】
したがって、この再生内容を視聴した視聴者は、プレゼンテーションの様子を映像表示欄５００を参照しながら、映像表示欄５００で再生されるプレゼンテーションの各々の時刻でそれぞれスクリーンに表示されていたスライド画像を、映像表示欄５００に表示される再生映像ではなく別個にスライド画像欄５１０で参照することができる。
【００８９】
上記のようにプレゼンテーション映像とスライド画像とを同期させて表示させることができるプレゼンテーションデータは、プレゼンテーションの再現データとして非常に優れたものである。このようなプレゼンテーションデータを作成するためには、ユーザがＰＣ１１０等に対して指示を行い、スライド画像の表示を切り替えたタイミング、切り替えたページ等の情報（イベントデータ等）を取得する必要がある。
【００９０】
このようなプレゼンテーションが行われた際に発生するイベントのデータを取得する方法としては、プレゼンテーションの発表者以外の者が、発表者がスライド画像表示を切り替えた時刻や切り替えたページ番号等を逐一メモに記載する等し、プレゼンテーション後に上記プレゼンテーションデータ自動作成アプリケーション４１２が動作するＰＣ１２０にこのメモに記載された情報を入力するといった操作を行う方法があるが、非常に煩雑であり、人が時刻等を確認するので、ミスも生じるおそれがある。
【００９１】
そこで、発表者がスライド画像をスクリーン等に表示させるために使用するプレゼンテーション用アプリケーション４０１が動作するＰＣ１１０に、上記のようなイベントデータを自動的に取得するアプリケーションをインストールし、プレゼンテーション時に当該アプリケーションを動作させることで自動的にイベントデータを取得する方法が考えられる。
【００９２】
この方法では、プレゼンテーション用アプリケーションが動作するＰＣにイベントデータを取得するためのアプリケーションをインストールする必要があるが、一般的なプレゼンテーションにおいては発表者が自ら所有するＰＣを用いる事が多く、発表者が自己のＰＣに新たなアプリケーションをインストールするのを種々の理由から拒絶する場合もあり得る。また、プレゼンテーション前にインストールする時間が取れない場合もあり、これらの場合には上記プレゼンテーションデータの作成に必要なイベントデータを自動取得することができなくなってしまう。
【００９３】
これに対し本実施形態にかかるプレゼンテーションデータの作成方法を伴うプレゼンテーション方法では、上述したようにメモリユニット１５０を発表者が所持するＰＣ１１０に装着することで、イベントデータ取得等のためのアプリケーションをＰＣ１１０にインストールするといった作業を行うことなく、発表者の所持するＰＣ１１０からイベントデータ等を取得し、これをメモリユニット１５０の記憶領域に記憶させることができる。
【００９４】
したがって、発表者が自己のＰＣに新たなアプリケーションのインストールを拒否する場合や、インストールするための時間がない場合であっても、メモリユニット１５０を装着するといった簡易な作業でイベントデータ等を自動取得することができる。そして、この自動取得したイベントデータを用いることで、プレゼンテーションデータ自動作成アプリケーション４１２の動作するＰＣ１２０において上記のような優れたプレゼンテーション再現が可能なデータを作成することができるのである。
【００９５】
また、上記のようなプレゼンテーションが終了した後は、発表者のＰＣ１１０からメモリユニット１５０を取り外せば、発表者のＰＣ１１０の状態はプレゼンテーションを行う前の状態と変わらないこととなり、発表者が新たなアプリケーションのインストールによって自己のＰＣ１１０の状態が変化することを嫌う場合であっても、メモリユニット１５０の装着を承諾される可能性が高くなり、この結果上記のような簡易な手法によるプレゼンテーションデータ作成が可能となる。
【００９６】
Ｂ．第２実施形態
Ｂ−１．構成
次に、図１０は、本発明の第２実施形態にかかるプレゼンテーションデータ作成を伴うプレゼンテーション方法を実施するためのプレゼンテーションデータ作成システムの全体構成を示す図である。同図に示すように、このプレゼンテーションデータ作成システム２００は、ＰＣ（Ｐｅｒｓｏｎａｌ  Ｃｏｍｐｕｔｅｒ）１１０と、ＰＣ（Ｐｅｒｓｏｎａｌ  Ｃｏｍｐｕｔｅｒ）１２０ａと、ＤＶ（Ｄｉｇｉｔａｌ  Ｖｉｄｅｏ）カメラ１３０と、投影機１４０と、無線ユニット１８０とを備える。
【００９７】
第２実施形態におけるプレゼンテーションデータ作成システム２００は、ＰＣ１１０がプロジェクター装置等である投影機１４０とＩ接続されている点、ＰＣ１２０ａがＤＶカメラ１３０と接続されている点は上記第１実施形態と同様であり、メモリユニット１５０に代えて無線ユニット１８０を備える点で相違している。したがって、以下においては第１実施形態との相違点を中心に説明し、共通する構成要素等についてはその説明を省略する。
【００９８】
図１１に示すように、無線ユニット１８０は、無線ＬＡＮ（Ｌｏｃａｌ  Ａｒｅａ  Ｎｅｔｗｏｒｋ）カード等であり、接続インター−フェース（Ｉ／Ｆ）部５５０と、無線通信部５６０とを備える。
【００９９】
接続インターフェース部５５０は、ＵＳＢ等のＰＣに接続するためのインターフェースである。
【０１００】
無線通信部５６０は、例えばＩＥＥＥ（Ｉｎｓｔｉｔｕｔｅ  ｏｆ  Ｅｌｅｃｔｒｉｃａｌ  ａｎｄ  ＥｌｅｃｔｒｏｎｉｃＥｎｇｉｎｅｅｒｓ）８０２．１１ｂなどの規格にしたがって無線通信を行うものであり、所定の範囲内に存在する他の無線通信機能を備えた装置との間で無線データ通信を行う。
【０１０１】
すなわち、無線ユニット１８０をＰＣ１１０に装着した状態においては、ＰＣ１１０は無線ユニット１８０の無線通信部５６０を動作させて当該ＰＣ１１０と所定の距離内（例えば１０数メートル内）にある他の同規格の無線通信機能を備えた機器との間で無線データ通信を行うことができる。
【０１０２】
図１２に示すように、ＰＣ（プレゼンテーションデータ作成装置）１２０ａは、ＣＰＵ１０１、ＲＯＭ１０２、ＲＡＭ１０３、外部記憶装置１０５ａ、ユーザインターフェース１０７および表示部１０８に加え、無線ユニット１８０を備えている。
【０１０３】
また、ＰＣ１２０ａの外部記憶装置（記憶手段）１０５ａには、ハードディスクドライブ等であり、上述した第１実施形態と同様のプレゼンテーションデータ自動作成アプリケーションが格納される記憶領域が用意されるとともに、他のＰＣから当該ＰＣ１２０ａに対して無線通信部１０９を介したアクセスがあった場合に、そのＰＣに対して開放される開放記憶領域６５０が用意されている。すなわち、他のＰＣ等の通信機能を有するＰＣからかかる開放記憶領域６５０を指定したアクセスがあった場合、この開放記憶領域６５０がそのＰＣに対して開放され、当該ＰＣは開放記憶領域６５０にデータを記録させることができるとともに、開放記憶領域６５０に記憶されているデータを読み出して取得することもできる。
【０１０４】
開放記憶領域６５０は、上述した第１実施形態と同様のプレゼンテーション監視アプリケーションを記憶するアプリケーション領域（プログラム領域）６５０ａと、かかるプレゼンテーション監視アプリケーションが実行されているときに、イベントデータやスライド画像ファイル等を記録することができるデータ領域６５０ｂとを有している。したがって、当該ＰＣ１２０ａにアクセスしてきた他のＰＣは、アプリケーション領域６５０ａに格納されたプレゼンテーション監視アプリケーションを読み出して実行することができ、またデータ領域６５０ｂに対してイベントデータを記録させることもできるのである。
【０１０５】
Ｂ−２．プレゼンテーションデータ自動作成を伴うプレゼンテーション方法
次に、上記のようなプレゼンテーションデータ作成システム２００を用い、プレゼンテーションデータ自動作成を伴うプレゼンテーション方法について説明する。
【０１０６】
図１３に示すように、第２実施形態にかかるプレゼンテーション方法では、ＰＣ１１０に無線ユニット１８０を装着させ、両者の間で無線データ通信が可能な状態とする（ステップＳｃ１）。
【０１０７】
このようにＰＣ１１０に無線ユニット１８０を装着した後、ＰＣ１１０のユーザインターフェース１０７を介してＰＣ１１０のＣＰＵ１０１に対し、無線ユニット１８０の無線通信機能を利用し、ＰＣ１２０ａの外部記憶装置１０５ａにおける開放記憶領域６５０にアクセスするよう指示し、かかる開放記憶領域６５０のアプリケーション領域６５０ａに記録されているプレゼンテーション監視アプリケーション読み出して無線通信を利用して取得し、取得したアプリケーションを実行、つまり起動するよう指示する（ステップＳｃ２）。
【０１０８】
また、ＰＣ１１０のユーザインターフェース１０７を介してＰＣ１１０のＣＰＵ１０１に対し、その外部記憶装置１０５に格納されているプレゼンテーション用アプリケーションを起動するよう指示する（ステップＳｃ３）。
【０１０９】
また、ＰＣ１２０ａのユーザインターフェース１０７を介してＰＣ１２０ａのＣＰＵ１０１に対し、その外部記憶装置１０５ａに格納されているプレゼンテーションデータ自動作成アプリケーションを起動するよう指示する（ステップＳｃ４）。
【０１１０】
以上のようなステップを経て、上記アプリケーションをＰＣ１１０およびＰＣ１２０ａにおいて起動させたときのプレゼンテーションデータ作成システム２００の機能構成を図１４に示す。以下においては、これらの構成（アプリケーション等）を動作主体として説明するが、実際の動作主体はＣＰＵ１０１等のハードウェアである。
【０１１１】
同図に示すように、このプレゼンテーションデータ作成システム２００における無線ユニット１８０を装着したＰＣ１１０は、ユーザインターフェース１０７と、プレゼンテーション用アプリケーション４０１と、プレゼンテーション監視アプリケーション４０２と、外部記憶装置１０５と、データ領域４７０ｂとを備える。上述したようにプレゼンテーション監視アプリケーション４０２は、ＰＣ１１０に装着された無線ユニット１８０の無線通信機能を利用して、ＰＣ１２０ａの開放記憶領域６５０におけるアプリケーション領域６５０ａから読み出してＰＣ１１０に取り込み、ＰＣ１１０のＣＰＵ１０１が実行することで実現される機能であるため、元々ＰＣ１１０の外部記憶装置１０５から読み出されて実行されるプレゼンテーション用アプリケーション４０１と区別するために破線で示すこととする。
【０１１２】
上述したようにＰＣ１１０におけるプレゼンテーション用アプリケーション４０１は、ユーザインターフェース１０７を介して入力されるユーザの操作指示内容にしたがって作成したスライド画像表示用データに基づく画像表示を行うべく、スライド画像表示用データを投影機１４０（図１０参照）に送信する。これによりユーザの操作に応じたタイミングでユーザの所望するスライド画像がスクリーン上に表示される。
【０１１３】
プレゼンテーション監視アプリケーション４０２は、上記第１実施形態と同様にユーザ操作にしたがったプレゼンテーション用アプリケーション４０１の動作を監視し、プレゼンテーション用アプリケーション４０１が動作しているときに、ユーザからユーザインターフェース１０７を介してプレゼンテーション用アプリケーション４０１に対してなされた指示等のイベントデータを取得する。
【０１１４】
第２実施形態におけるプレゼンテーション監視アプリケーション４０２は、プレゼンテーション用アプリケーション４０１が動作している間に取得したイベントデータを、無線ユニット１８０の無線通信機能を利用してＰＣ１２０ａに送信し、ＰＣ１２０のデータ領域６５０ｂに記録させるよう構成されている。
【０１１５】
すなわち、ＰＣ１２０ａのアプリケーション領域６５０ａに格納されたアプリケーションが、ＰＣ１１０のＣＰＵ１０１によって実行されると、取得したイベントデータをそのＰＣ１１０内の記憶装置ではなく、ＰＣ１１０からＰＣ１２０ａに無線送信し、Ｐｃ１２０ａのデータ領域６５０ｂに記憶させるのである。
【０１１６】
そして、プレゼンテーション監視アプリケーション４０２は、ユーザの操作によりプレゼンテーション用アプリケーション４０１に対し、プレゼンテーションが終了した旨の指示があった場合には、そのイベントデータを取得してＰＣ１２０ａのデータ領域６５０ｂに記録させるとともに、当該プレゼンテーションに利用されたスライド画像ファイル（図３参照）を外部記憶装置１０５から読み出し、これをＰＣ１２０ａに無線送信してデータ領域６５０ｂに記憶させる。
【０１１７】
次に、プレゼンテーションデータ作成時におけるＰＣ１２０は、録画部４１１と、プレゼンテーションデータ自動作成アプリケーション４１２とを備える。
【０１１８】
以上のようなアプリケーションの起動が終了すると、上記第１実施形態と同様、これから行うプレゼンテーションの様子を撮影するためＤＶカメラ１３０を所定の位置にセットする等の撮影準備を行い、発表者はユーザインターフェース１０７を介してン用アプリケーションに対してプレゼンテーションを開始する旨の指示をなし、最初に表示すべくスライド画像を表示させ、プレゼンテーションを開始する（ステップＳｃ５）。
【０１１９】
そして、プレゼンテーションが終了し、ユーザが撮影終了指示を行うと、その指示に応じて録画部４１１によるプレゼンテーションの様子の録画が終了し、撮影開始から撮影終了までに録画したデータを映像ファイルとしてＰＣ１２０の外部記憶装置に記憶され、その保存ディレクトリやファイル名等の保存個所特定情報（パス情報）をプレゼンテーションデータ自動作成アプリケーション４１２に通知される。
【０１２０】
このようにプレゼンテーションが終了すると、上述したようにＰＣ１１０のプレゼンテーション監視アプリケーション４０２は、プレゼンテーションが行われている間に取得したイベントデータおよびスライド画像ファイルをＰＣ１２０ａに無線送信してデータ領域６５０ｂに記録させる。このようにしてＰＣ１１０のプレゼンテーション用アプリケーション４０１に対してユーザが行った操作指示等に応じたイベントデータをＰＣ１２０ａに取り込まれる（ステップＳｃ６）。
【０１２１】
以上のようにしてイベントデータやスライド画像ファイルがＰＣ１２０ａに取り込まれると、上述した第１実施形態と同様にプレゼンテーションデータ自動作成アプリケーション４１２によって、取り込んだスライド画像ファイル中のスライド画像表示用データと、録画部４１１によって録画されたプレゼンテーションの様子を撮影した映像データに基づく映像と、これらのスライド画像のタイトル等の文字情報を同期して表示させることができるプレゼンテーションデータを作成される（ステップＳｃ７）。
【０１２２】
以上のように過程を経ることで、プレゼンテーション終了後に、上記第１実施形態と同様のプレゼンテーションデータがＰＣ１２０ａによって作成される。したがって、このプレゼンテーションデータの再生内容を視聴した視聴者は、プレゼンテーションの様子を映像表示欄５００を参照しながら、映像表示欄５００で再生されるプレゼンテーションの各々の時刻でそれぞれスクリーンに表示されていたスライド画像を、映像表示欄５００に表示される再生映像ではなく別個にスライド画像欄５１０で参照することができる。
【０１２３】
また、第２実施形態にかかるプレゼンテーションデータ作成方法を伴うプレゼンテーション方法では、プレゼンテーション用アプリケーション４０１が動作するＰＣ１１０がＰＣ１２０ａのアプリケーション領域６５０ａに格納されたプレゼンテーション監視アプリケーションを実行することで、ＰＣ１１０から取得されるイベントデータを取得し、かかるイベントデータ等をＰＣ１２０ａのデータ領域６５０ｂに記憶させることでＰｃ１２０ａに取り込めるようにしている。
【０１２４】
したがって、上述したように無線ユニット１８０を発表者が所持するＰＣ１１０に装着することで、イベントデータ取得等のためのアプリケーションをＰＣ１１０にインストールするといった作業を行うことなく、発表者の所持するＰＣ１１０からイベントデータ等を取得し、これをＰＣ１２０ａのデータ領域６５０ｂに記憶させることができるのである。
【０１２５】
これにより発表者が自己のＰＣに新たなアプリケーションのインストールを拒否する場合や、インストールするための時間がない場合であっても、メモリユニット１５０を装着するといった簡易な作業でイベントデータ等を自動取得することができる。そして、この自動取得したイベントデータを用いることで、プレゼンテーションデータ自動作成アプリケーション４１２の動作するＰＣ１２０ａにおいて上記のような優れたプレゼンテーション再現が可能なデータを作成することができるのである。
【０１２６】
また、上記のようなプレゼンテーションが終了した後は、発表者のＰＣ１１０から無線ユニット１８０を取り外せば、発表者のＰＣ１１０の状態はプレゼンテーションを行う前の状態と変わらないこととなり、発表者が新たなアプリケーションのインストールによって自己のＰＣ１１０の状態が変化することを嫌う場合であっても、メモリユニット１５０の装着を承諾される可能性が高くなり、この結果上記のような簡易な手法によるプレゼンテーションデータ作成が可能となる。
【０１２７】
Ｃ．変形例
なお、本発明は、上述した第１実施形態および第２実施形態に限定されるものではなく、以下の例示するような種々の変形が可能である。
【０１２８】
（変形例１）
上述した第２実施形態では、ＰＣ１１０に無線通信機能を有する無線ユニット１８０を装着し、かかる無線通信機能を利用することでＰＣ１１０に新たなプレゼンテーション監視アプリケーション等をインストールすることなく、イベントデータ等の取得を可能としていた。このように無線ユニット１８０を装着することで無線通信を利用する以外にも、両者がデータ通信を行える手段を利用すればよく、例えばＰＣ１１０とＰＣ１２０ａとの間を有線通信手段で接続し、または公衆網を介して接続する等データ通信が可能な状態とした上で、ＰＣ１１０からのアクセスに応じてＰＣ１２０ａの開放記憶領域６５０をＰＣ１１０に開放するようにしてもよい。
【０１２９】
このように無線通信以外を利用した場合であっても、ＰＣ１１０は、ＰＣ１２０ａの開放記憶領域６５０に記憶されているプレゼンテーション監視アプリケーションを読み出して実行することができ、またイベントデータ等をＰＣ１２０ａのデータ領域６５０ｂに記憶させることができる。したがって、上記第２実施形態と同様、ＰＣ１１０に新たなアプリケーションをインストールすることなく、イベントデータ等をＰＣ１２０ａに取り込むことができる。
【０１３０】
（変形例２）
また、上述した各実施形態では、プレゼンテーションを撮影した映像データ（プレゼンテーション再現データ）と、当該プレゼンテーションに使用したスライド画像表示用データと、各々のスライド画像のタイトルといった文字情報といった異なる形式のデータの再生を制御して同期させることができるＳＭＩＬ形式のデータを作成していたが、映像再生に同期させるスライド画像のタイトルのみならず、プレゼンテーション等を録音した音声再生等の時系列のプレゼンテーション再現データに同期させるスライド画像のタイトルについて、上記実施形態と同様のタイトル調整処理を行うようにしてもよい。
【０１３１】
（変形例３）
また、上述した実施形態では、プレゼンテーションデータ自動作成アプリケーション４１２が、イベントデータ、抽出したタイトルデータやページ番号データ等の文書情報、スライド画像ファイルおよび映像ファイルに基づいて、映像と、スライド画像と、これらのスライド画像のタイトル等の文字情報を同期して表示させることができるプレゼンテーションデータとしてＳＭＩＬ形式のデータを作成するようにしていた。
【０１３２】
このようにプレゼンテーションデータとしてＳＭＩＬ形式のデータを作成するようにしてもよいが、ＳＭＩＬ以外のデータであっても、映像（または音声等）と、スライド画像等の静止画と、タイトル等の文字情報といった異なる形式のデータの再生を制御して同期させることができる形式のデータであればよく、ＳＭＩＬ形式以外の形式のデータを作成するようにしてもよい。
【０１３３】
また、上述した実施形態と同様にＳＭＩＬ形式のデータを作成する場合であっても、一旦イベントデータ等から取得した（１）各スライド画像の表示タイミング（開始時刻、終了時刻）、（２）各々のスライド画像のタイトルデータ等（タイトル、本文の内容、ページ番号等）、（３）各スライド画像（ＪＰＥＧ等）の保存場所（パス）、（４）各スライド画像に対応する映像ファイルの保存場所（パス）といった情報を含むＭＰＥＧ７（Ｍｏｖｉｎｇ  Ｐｉｃｔｕｒｅ  Ｅｘｐｅｒｔｓ  Ｇｒｏｕｐ  ７）形式のデータを中間データとして作成してから、かかる中間データに基づいてＳＭＩＬ形式のデータを作成するようにしてもよい。
【０１３４】
ここで、ＭＰＥＧ７は、ビデオやオーディオなどマルチメディア情報に付与される内容記述データの国際規格であり、この形式の記述データを利用することで、映像（プレゼンテーション映像）、静止画（スライド画像）等のマルチメディア・コンテンツの検索が容易となる。したがって、このようなＭＰＥＧ７形式の中間データを作成することで、プレゼンテーションデータのコンテンツ検索等を容易にすることができるといった効果が得られる。
【０１３５】
【発明の効果】
以上説明したように、請求項１にかかる発明によれば、プレゼンテーション用アプリケーションに対してユーザが行った操作指示等に関するイベントデータ取得のために新たなプログラムを、プレゼンテーション用アプリケーションが動作するコンピュータ装置にインストールすることなく、イベントデータを自動的に取得することができるという効果を奏する。
【０１３６】
また、請求項２にかかる発明によれば、プレゼンテーション用アプリケーションが動作するコンピュータ装置に、プレゼンテーション用アプリケーションに対してユーザが行った操作指示等に関するイベントデータ取得のために新たなプログラムをインストールすることなく、イベントデータを自動的に取得することができるという効果を奏する。
【０１３７】
また、請求項３にかかる発明によれば、プレゼンテーション用アプリケーションが動作するコンピュータ装置にメモリユニットを装着すれば、プレゼンテーション用アプリケーションに対してユーザが行った操作指示等に関するイベントデータ取得のために新たなプログラムを当該コンピュータ装置にインストールすることなく、イベントデータを自動的に取得してプレゼンテーションデータを容易に作成することができるという効果を奏する。
【０１３８】
また、請求項４にかかる発明によれば、プレゼンテーション用アプリケーションが動作するコンピュータ装置に、当該プレゼンテーション用アプリケーションに対してユーザが行った操作指示等に関するイベントデータ取得のために新たなプログラムをインストールすることなく、イベントデータを自動的に取得してプレゼンテーションデータを容易に作成することができるという効果を奏する。
【０１３９】
また、請求項５にかかる発明によれば、プレゼンテーション用アプリケーションが動作するコンピュータ装置に、プレゼンテーション用アプリケーションに対しユーザが行った操作指示等に関するイベントデータ取得のために新たなプログラムをインストールすることなく、イベントデータを自動的に取得することができ、かかるイベントデータと、プレゼンテーションの様子を撮影等した再現データとを用いたプレゼンテーションデータを容易に作成することができるという効果を奏する。
【０１４０】
また、請求項６にかかる発明によれば、プレゼンテーション用アプリケーションが動作するコンピュータ装置に、プレゼンテーション用アプリケーションに対してユーザが行った操作指示等に関するイベントデータ取得のために新たなプログラムを当該コンピュータ装置にインストールすることなく、イベントデータを自動的に取得してプレゼンテーションデータを容易に作成することができるという効果を奏する。
【０１４１】
また、請求項７にかかる発明によれば、プレゼンテーション用アプリケーションが動作するコンピュータ装置に、プレゼンテーション用アプリケーションに対してユーザが行った操作指示等に関するイベントデータ取得のために新たなプログラムをインストールすることなく、イベントデータを自動的に取得してプレゼンテーションデータを容易に作成することができるという効果を奏する。
【図面の簡単な説明】
【図１】本発明の第１実施形態にかかるプレゼンテーション方法を実施するためのプレゼンテーションデータ作成システムの全体構成を示す図である。
【図２】前記プレゼンテーションを行うプレゼンテーション用アプリケーションが動作するＰＣの構成を示すブロック図である。
【図３】前記プレゼンテーション用アプリケーションによって作成されるスライド画像ファイルの構成を示す図である。
【図４】前記プレゼンテーションデータ作成システムの構成要素であるメモリユニットの構成を示す図である。
【図５】前記プレゼンテーション用アプリケーションが動作するＰＣに前記メモリユニットを装着する様子を示す図である。
【図６】第１実施形態にかかるプレゼンテーション方法の手順を示すフローチャートである。
【図７】プレゼンテーションデータ作成時における前記プレゼンテーションデータ作成システムの機能構成を示すブロック図である。
【図８】前記プレゼンテーションデータ作成システムによって作成されたプレゼンテーションデータを再生した場合に表示画面の一例を示す図である。
【図９】映像、スライド画像、タイトルといった異なる形式のデータを同期再生させる前記プレゼンテーションデータにおける、映像、スライド画像、タイトルの対応関係を模式的に示す図である。
【図１０】本発明の第２実施形態にかかるプレゼンテーションデータ作成を伴うプレゼンテーション方法を実施するためのプレゼンテーションデータ作成システムの全体構成を示す図である。
【図１１】前記プレゼンテーションデータ作成システムの構成要素である無線ユニットの構成を示す図である。
【図１２】前記プレゼンテーション方法に用いられるプレゼンテーションデータを作成するＰＣの構成を示すブロック図である。
【図１３】第２実施形態にかかるプレゼンテーション方法の手順を示すフローチャートである。
【図１４】第２実施形態における、プレゼンテーションデータ作成時の前記プレゼンテーションデータ作成システムの機能構成を示すブロック図である。
【符号の説明】
１００  プレゼンテーションデータ作成システム
１０５  外部記憶装置
１０５ａ    外部記憶装置
１０６  接続インターフェース
１０７  ユーザインターフェース
１０８  表示部
１０９  無線通信部
１１０  ＰＣ
１２０  ＰＣ
１２０ａ  ＰＣ
１３０  ＤＶカメラ
１４０  投影機
１５０  メモリユニット
１８０  無線ユニット
２００  プレゼンテーションデータ作成システム
４０１  プレゼンテーション用アプリケーション
４０２  プレゼンテーション監視アプリケーション
４１２  プレゼンテーションデータ自動作成アプリケーション
４１１  録画部
４５０  接続インターフェース部
４６０  メモリ部
４７０ａ  アプリケーション領域
４７０ｂ  データ領域
４７０  記憶領域
５００  映像表示欄
５１０  スライド画像欄
５２０  目次欄
５５０  接続インターフェース部
５６０  無線通信部
６５０ａ  アプリケーション領域
６５０ｂ  データ領域
６５０  開放記憶領域
【図１】
2004227514.tif 000003
【図２】
2004227514.tif 000004
【図３】
2004227514.tif 000005
【図４】
2004227514.tif 000006
【図５】
2004227514.tif 000007
【図６】
2004227514.tif 000008
【図７】
2004227514.tif 000009
【図８】
2004227514.tif 000010
【図９】
2004227514.tif 000011
【図１０】
2004227514.tif 000012
【図１１】
2004227514.tif 000013
【図１２】
2004227514.tif 000014
【図１３】
2004227514.tif 000015
【図１４】
2004227514.tif 000016